(57)【特許請求の範囲】
【請求項１】
少なくとも一方が亜鉛系合金めっき鋼材である鋼材同士を溶接接合する際、溶接ワイヤとして、Ｃ：0.01〜0.1質量％，Ｓｉ：0.1〜2.0質量％，Ｍｎ：0.1〜2.0質量％，Ｎｉ：0.6質量％以下，Ｃｒ：11.0〜25.0質量％を含み、残部がＦｅおよび不可避的不純物からなる鋼組成を有するソリッドワイヤを用いることを特徴とする亜鉛系合金めっき鋼材の溶接方法。
【請求項２】
さらに、Ｔｉ：0.01〜0.5質量％，Ｎｂ：0.1〜1.0質量％，Ｚｒ：0.1〜1.0質量％，Ｖ：0.1〜1.0質量％のうち一種以上を含む鋼組成を有するソリッドワイヤを用いる請求項１に記載の亜鉛系合金めっき鋼材の溶接方法。
【請求項３】
上記に加えＭｏ：0.1〜3.0質量％の鋼組成を有するソリッドワイヤを用いる請求項１または２に記載の亜鉛系合金めっき鋼材の溶接方法。
【発明の詳細な説明】
【技術分野】
【０００１】
本発明は、溶接接合して各種用途に用いられる亜鉛系合金めっき鋼板等の鋼材を、優れた耐食性を維持しつつ溶接部の割れ発生を抑制した溶接方法に関する。
【背景技術】
【０００２】
亜鉛系合金めっき鋼板、特にＺｎ−Ａｌ−Ｍｇ系合金めっき鋼板は、優れた耐食性を活かして、建築や自動車等の分野において幅広く用いられている。
従来、比較的にサイズの小さい鋼製溶接構造物にあっては、非めっき部材を所定形状に組み合わせて溶接接合し、その後に、亜鉛系合金めっき浴に浸漬して鋼製部材および溶接部表面に亜鉛系合金めっき付着させ、溶接構造物全体の耐食性を確保している。
しかしながら、この方法も、比較的サイズの小さい構造物の製造に限定される。さらに生産性が低いために、結果的に製造コストが高いものとなっている。
【０００３】
このため、比較的にサイズの大きい溶接構造物であっても、耐食性を維持したものを低コストで提供するために、優れた耐食性を有する亜鉛系合金めっきが施された鋼板を素材として溶接接合することにより、耐食性に優れた鋼製溶接構造物を得る方法が採用されるようになっている。
ところが、亜鉛系合金めっき鋼板を溶接接合する際に、溶接部はめっき層がなくなった状態となって耐食性が低下する、と言った問題点がある。この問題点は、溶接後、溶接部およびその近傍を、ジンクリッチペイント等の防錆塗料で後塗装することによって解消しているが、後塗装を必要とする点で生産性が低下するばかりでなく、塗装部の信頼性も十分でない。
【０００４】
そこで、溶接材料として耐食性に優れるステンレス鋼を用いて亜鉛系合金めっき鋼板を溶接接合することも提案されている。
例えば特許文献１では、質量％で、Ｃ：０．０１〜０．０５％、Ｓｉ：０．１〜１％、Ｍｎ：０．５〜３％、Ｎｉ：７〜１２％、Ｃｒ：２４〜３０％を含有し、さらに、Ｍｏ：２％以下およびＮ：０．１７％以下の１種または２種を含有し、残部がＦｅおよび不可避的不純物からなるオーステナイト系ステンレス鋼組成の溶接ワイヤを用いて亜鉛系合金めっき鋼板を溶接接合している。
【特許文献１】特開２００７−１１８０７７号公報
【発明の開示】
【発明が解決しようとする課題】
【０００５】
特許文献１に記載の発明は、亜鉛系合金めっき鋼板を溶接接合する際に、溶接金属をオーステナイト系ステンレス鋼組成のものとすることにより従来の普通鋼組成の溶接金属を用いる技術と比べて耐食性に優れた溶接部を得ることができる点においては、極めて有用な技術である。
しかしながら、溶接金属をオーステナイト系ステンレス鋼組成のものとすると、母材部の板厚が厚いものまたは拘束状態にあるような溶接条件の場合、オーステナイト系ステンレス鋼組成の溶接金属の熱膨張係数が大きいため、溶接時の溶接金属膨張後の収縮により母材部または溶着金属に引張応力が働き、さらに溶接時の熱により母材のめっきが溶融状態となり、溶接部近傍の母材部あるいは溶接金属に割れが発生することがある。割れが生じると本来の強度を発現しなくなってしまう。
本発明は、このような問題を解消すべく案出されたものであり、亜鉛系合金めっき鋼材を溶接接合する際に、溶接部およびその近傍において割れが発生することなく、素材亜鉛系めっき鋼板の耐食性を維持できる溶接方法を提供することを目的とする。
【課題を解決するための手段】
【０００６】  本発明の亜鉛系合金めっき鋼材の溶接方法は、その目的を達成するため、少なくとも一方が亜鉛系合金めっき鋼材である鋼材同士を溶接接合する際、溶接ワイヤとして、Ｃ：0.01〜0.1質量％，Ｓｉ：0.1〜2.0質量％，Ｍｎ：0.1〜2.0質量％，Ｎｉ：0.6質量％以下，Ｃｒ：11.0〜25.0質量％，さらに必要に応じてＴｉ：0.01〜0.5質量％，Ｎｂ：0.1〜1.0質量％，Ｚｒ：0.1〜1.0質量％，Ｖ：0.1〜1.0質量％のうち一種以上を含み、さらに必要に応じてＭｏ：0.1〜3.0質量％を含有し残部がＦｅおよび不可避的不純物からなる鋼組成を有するソリッドワイヤを用いることを特徴とする。  なお、本発明を適用する亜鉛系合金めっき鋼材とは、亜鉛めっき鋼板の他に、Ｚｎ−Ａｌ系合金めっき鋼板、Ｚｎ−Ａｌ−Ｍｇ系合金めっき鋼板、Ｚｎ−Ａｌ−Ｍｇ−Ｓｉ系合金めっき鋼板等を含むものである。
【発明の効果】
【０００７】
本発明方法では、溶接金属をフェライト系ステンレス鋼組成としている。このため、亜鉛系合金めっき鋼材の母材の熱膨張率と溶接金属の熱膨張率が近似するため、溶接接合後に、溶接部あるいはその近傍での割れ発生を抑制することができる。また、溶接金属がフェライト系ステンレス鋼組成を有しているために耐食性にも優れている。
したがって、亜鉛系合金めっき鋼材を素材とした溶接構造物として、所望に接合強度を発現し、かつ耐食性を維持したものを安定的に提供することができる。
【発明を実施するための最良の形態】
【０００８】
本発明者等は、亜鉛系合金めっき鋼材を素材とした溶接構造物を製造する際、溶接部における耐食性の低下がなく、しかも溶接部およびその近傍での割れの発生を抑制する手段について、鋭意検討した。その過程で、フェライト系ステンレス鋼組成の溶接金属の有用性を見出した。
まず、溶接金属を、従来の普通鋼組成とした場合、溶接部の耐食性が低下することは言うまでもない。また、特許文献１で提案されているようなオーステナイト系ステンレス鋼組成とした場合、溶接条件によっては溶接部あるいはその近傍に割れが生じやすいことは前記した通りである。
【０００９】
溶接金属をオーステナイト系ステンレス鋼組成とした場合に割れが生じやすい要因の一つとして、母材普通鋼組成のものと比べて、熱膨張率の違いが挙げられる。
例えば、Ｃ：0.08質量％，Ｓｉ：0.38質量％，Ｍｎ：1.08質量％，Ｎｉ：8.17質量％，Ｃｒ：18.50質量％のオーステナイト系ステンレス鋼の熱膨張係数は17／℃×10-6程度である。
一方、Ｃ：0.1質量％，Ｓｉ：0.005質量％，Ｍｎ：0.5質量％の低炭素鋼の熱膨張係数は11.6／℃×10-6程度である。この差が、溶接後の溶接部あるいはその近傍での割れ発生の要因とも言える。
【００１０】
そこで、溶接金属としてフェライト系ステンレス鋼組成のものの使用を想定した。
現実の溶接、特にアーク溶接を行う際には、溶接金属を溶接ワイヤとして供給するので、溶接ワイヤとして、フェライト系ステンレス鋼組成のものを使用する。
その成分組成としては、Ｃ：0.01〜0.1質量％，Ｓｉ：0.1〜2.0質量％，Ｍｎ：0.1〜2.0質量％，Ｎｉ：0.6質量％以下，Ｃｒ：11.0〜25.0質量％，さらに必要に応じてＴｉ：0.01〜0.5質量％，Ｎｂ：0.1〜1.0質量％，Ｚｒ：0.1〜1.0質量％，Ｖ：0.1〜1.0質量％のうち一種以上を含み、さらに必要に応じてＭｏ：0.1〜3.0質量％を含有し残部がＦｅおよび不可避的不純物からなる鋼組成の溶接ワイヤを用いる。
【００１１】
ここで、成分組成を上記のように限定した理由を説明する。なお、以下に示す「％」は、特に説明がない限り、「質量％」を意味するものとする。
Ｃ：0.01〜0.1％
Ｃは各種元素と化合物を作り、強度を増す元素であり、溶接金属の熱膨張係数を下げるが、その効果を得るために0.01%以上含有させる。ただし、0.1%を超える含有は溶接金属の強度を過剰に増加させるとともに、熱膨張係数を下げすぎ鋼材母材との差を生じさせ、溶接部およびその近傍に割れを生じさせる事があるため0.1%以下とした。
【００１２】
Ｓｉはフェライトを生成し、溶接金属の脱酸剤として使用され、その効果を得るために0.1%以上含有させる。ただし、2.0%を超える含有は溶接金属中に化合物が生成し溶接金属の靭性を低下させる事があるため2.0%以下とした。
【００１３】
Ｍｎ：0.1〜2.0％
Ｍｎは溶接金属の脱酸脱硫作用があり、その効果を得るために0.1%以上含有させる。ただし、2.0%を超える含有はオーステナイトを生成し溶接金属の熱膨張係数を増加させ鋼材母材との差を生じ、溶接部およびその近傍に割れを生じさせる事があるため2.0%以下とした。
【００１４】
Ｎｉ：0.6％以下
Ｎｉは溶接金属の耐食性を増し、オーステナイトを生成する元素であるが、0.6%を超える含有は溶接金属の熱膨張係数が増加し鋼材母材との差を生じさせ、溶接部およびその近傍に割れを生じさせる事があるため0.6%以下とした。
なお、通常、ステンレス鋼では、Ｎｉは不可避的に含まれており、規定していない場合であっても少量の含有を許容している（例えばＪＩＳ  Ｇ４３０４等）ので、本明細書にあっては、下限値は規定しないこととした。
【００１５】
Ｃｒ：11.0〜25.0％
Ｃｒは溶接金属の耐食性を増し、13%以上含有すると著しく耐食性が向上する。また、フェライトを生成する元素である。これらの効果を得るために11%以上含有していればよいがフェライトを生成させ熱膨張係数を鋼材母材と近似させるためには16%以上の含有が好ましい。ただし、25%を超える含有は溶接金属中に化合物が生成し溶接金属の靭性を低下させる事があるため25%以下とした。
【００１６】
Ｔｉ：0.01〜0.5％
Ｔｉはフェライトを生成する元素であり、結晶粒を微細化し脱酸効果もあるので、必要に応じて含ませる。これらの効果を得るために0.01%以上含有させる。ただし、0.5%を超える含有は溶接金属の靭性を低下させる事があるため0.5%以下とした。
【００１７】
Ｎｂ：0.1〜1.0％
Ｎｂは溶接金属中のＣやＮを安定化する作用があり耐粒界腐食性があるので、必要に応じて含ませる。その効果をえるために0.1%以上含有する。ただし、1.0%を超える含有は溶接金属中に金属間化合物を析出し、溶接金属の靭性を低下させる事があるため1.0%以下とした。
【００１８】
Ｚｒ：0.1〜1.0％
Ｚｒはフェライトを生成する元素であり、クロム炭化物の析出による耐食性の劣化を改善する効果があるので、必要に応じて含ませる。これらの効果を得るために0.1%以上含有させる。ただし、1.0%を超える含有は溶接金属の強度を増加させ、溶接部およびその近傍に割れを生じさせる事があるため1.0%以下とした。
【００１９】
Ｖ：0.1〜1.0％
Ｖは耐食性向上および結晶粒を微細化し粘り強くする効果があるので、必要に応じて含ませる。これらの効果を得るために0.1%以上含有させる。ただし、1.0%を超える含有は溶接金属の強度を増加させ、溶接部およびその近傍に割れを生じさせる事があるため1.0%以下とした。
【００２０】
Ｍｏ：0.1〜3.0％
Ｍｏは高温加熱時に結晶粒の粗大化を防ぎ靭性低下を防止する。また、耐食性を向上させる。したがって、必要に応じて含ませる。これらの効果を得るために0.1%以上含有させる。ただし、3.0%を超える含有は溶接金属の強度を増加させ、溶接部およびその近傍に割れを生じさせる事があるため3.0%以下とした。
【００２１】
本発明のフェライト系ステンレスワイヤは上記成分の溶接金属を形成する溶接ワイヤとして、ステンレス素線そのもののソリッドワイヤおよびステンレス外皮の内部に金属成分調整用の金属粉、アーク安定・金属成分調整用のスラグ成分（全ワイヤ質量に対して、ＴｉＯ2：4.0〜7.0質量％，ＳｉＯ2：1.5〜3.5質量％を含有し、スラグ成分の合計量が5.5〜10.5質量％）を内包したフラックス入りワイヤのいずれも適用可能である。
【００２２】
ＴｉＯ2：4.0〜7.0質量％
ＴｉＯ2はアークの安定性、溶接金属成分を整えるのに必要な成分であるが、4.0%未満だとその効果が現れないため、4.0%以上含有させる。ただし、7.0%を超えると粘性が低下して溶接金属の形状がいびつになり外観が損なわれるため7.0%以下とした。
【００２３】
ＳｉＯ2：1.5〜3.5質量％
ＳｉＯ2は溶接金属を覆うスラグ形成に必要な成分であるが、1.5%未満だと溶接金属を十分に覆うようなスラグ形成が困難であり、溶接金属の酸化防止効果が得られないため、1.5%以上含有させる。ただし、3.5%を超えるとスラグの剥離性が劣化し作業性が損なわれるため3.5%以下とした。
【００２４】
本発明において、亜鉛系合金めっき鋼材の母材に軟鋼、高張力鋼、低合金鋼、ステンレス鋼材等について、鋼材成分を特に規定する必要はない。
【００２５】
また、本発明は、溶接継手の形態が突合せ継手、すみ肉継手等、いずれの継手に対しても適用可能である。上述したように亜鉛系合金めっき鋼材と溶接金属の熱膨張率が異なった場合、母材部または溶着金属に引張応力が働き、溶接部あるいはその近傍で割れが発生する。したがって、本発明は、熱膨張率の差異により母材部または溶着金属に引張応力が働き易い施工方法である、亜鉛系合金めっき鋼材と丸棒鋼を円周状にすみ肉溶接する施工法に適用する事により、溶接部あるいはその近傍での割れ発生を抑制する効果が顕著となる。
【００２６】
また、溶接方法はMIGアーク溶接、ＭAＧアーク溶接、炭酸ガスアーク溶接のいずれにも適用可能である。溶接条件、施工状態については特に限定する必要はない。
【実施例】
【００２７】
表１に示す鋼板と表２に示す溶接ワイヤを用い、図１に示す形態のすみ肉溶接を行った。なお、表１で示しためっき鋼板の厚さは3.2mmであり、めっきを施していない丸棒鋼の径は20.0mmである。また、溶接条件は表３に示す通りとし、溶接ビードが一部重なり合うような溶接を行った。
そして、溶接ビードが重なるラップ部とその反対側の溶接ビードが重なっていないシングル部の断面について目視観察を行った。めっき鋼板母材または溶接金属に割れがなかったものを○とし、割れが認められたものを×で評価した。
その結果を表４に示す。
【００２８】
0005187833.tif 000002
【００２９】
0005187833.tif 000003
【００３０】
0005187833.tif 000004
【００３１】
0005187833.tif 000005
【００３２】
表４に見られる通り、フェライト系ステンレス鋼組成の溶接ワイヤを用いた場合には、どのようなめっき素材であっても溶接部に割れは無かったが、オーステナイト系ステンレス鋼組成の溶接ワイヤを用いた場合には、全てのめっき素材で溶接部に割れが発生していた。また、二相系ステンレス鋼組成の溶接ワイヤを用いた場合には、炭素量が多いめっき鋼板を溶接する際に、割れが生じやすいことがわかる。溶接金属部と母材金属部の熱膨張に差異が生じた結果と推測される。
【図面の簡単な説明】
【００３３】
【図１】実施例で行った溶接試験方法を説明する図
【符号の説明】
【００３４】
１：亜鉛系合金めっき鋼板        ２：丸棒鋼        ３：溶接金属          
【図１】
0005187833.tif 000006